(57)【要約】【課題】簡易な構成によって、ランプ交換、点検作業中における作業者の感電を確実に防ぐ。【解決手段】ヒートシンク３２Ａ、ランプ３０を備えた内視鏡装置において、ヒートシンク３２Ａで覆われたランプ３０の交換、点検等のため、プロセッサの側面に形成された開口部を開閉する開閉扉２０を設け、開閉扉２０において、接地された放電部材２２を取り付ける。開閉扉２０の軸回転に合わせて放電部材２２を連動させ、ヒートシンク３２Ａに接触させる。【選択図】図４
2008167903.tif 000002
【特許請求の範囲】
【請求項１】
ランプと、
電極が設けられ、前記ランプに取り付けられた放熱部材と、
筐体に形成された開口部を開閉する開閉扉と、
前記開閉扉に取り付けられ、前記開閉扉の開く動作に連動することによって前記放熱部材と接触する放電部材と
を備えたことを特徴とする内視鏡装置。
【請求項２】
前記開閉扉が、筐体外部へ向けて軸回転可能であり、前記放電部材が、前記開閉扉の軸回転に連動することを特徴とする請求項１に記載の内視鏡装置。
【請求項３】
前記放電部材が、前記開閉扉の軸に対して前記開閉扉とは反対方向へ向けて延びることを特徴とする請求項２に記載の内視鏡装置。
【請求項４】
筐体側面に前記開口部が形成され、
前記開閉扉が、筐体の下方へ開くことを特徴とする請求項２に記載の内視鏡装置。
【請求項５】
前記開閉扉が、前記開口部の上端部に設けられた保持部材と係止して閉じた状態が維持されることを特徴とする請求項４に記載の内視鏡装置。  
【請求項６】
電極を有する放熱部材が取り付けられたランプを装着、取り外すために筐体に形成された開口部を開閉する開閉扉と、
前記開閉扉に取り付けられ、前記開閉扉の開く動作と連動することによって前記放熱部材と接触する放電部材と
を備えたことを特徴とする内視鏡用ランプ交換機構。
【発明の詳細な説明】
【技術分野】
【０００１】
本発明は、ランプ等の光源を使用して患部等を観察する内視鏡装置に関し、特に、光源の装着機構に関する。
【背景技術】
【０００２】
内視鏡装置では、観察部位を照明するため、ランプから放出された光がスコープ先端部へ導かれ、スコープ先端部から射出される。ランプ寿命によるランプ交換、あるいはランプ点検などを行うため、内視鏡プロセッサの側面にはランプ交換用の開閉扉が形成されており、電極を設けた放熱用のヒートシンクに覆われたランプが、開閉扉を通して装着される。ランプをプロセッサ内に装着すると、プロセッサ内部に設けられた電極とヒートシンクの電極が接触し、これによりランプが点灯する。
【０００３】
ランプに取り付けられたヒートシンクは、ランプ消灯時に帯電する。そのため、ランプを取り外すときに作業者の感電を防ぐ必要がある。その解決策として、例えば、ランプおよびヒートシンクから成るランプユニットを構成して放電させる（特許文献１参照）。そこでは、ランプユニットを引き出すために保持されるイジェクタを、絶縁体であるランプホルダを介してヒートシンクに取り付け、また、ランプユニット下方に放電用電極とスライド電極を設ける。ランプを取り出す際、ヒートシンクの動きによってスライド電極がスライドし、放電用電極と接触する。
【特許文献１】特開２００４−２５４７６０号公報
【発明の開示】
【発明が解決しようとする課題】
【０００４】
ランプホルダを含むランプユニットを一体的にプロセッサ内部に装着、取り外しする必要があるため、ランプを装着させる機構が複雑化し、ランプ交換作業が繁雑となる。
【課題を解決するための手段】
【０００５】
本発明の内視鏡装置は、ランプ交換、ランプ点検時において、簡易な構成によって確実にランプ廻りに帯電した電荷を放電可能な内視鏡装置である。本発明の内視鏡装置は、ランプと、電極が設けられ、前記ランプに取り付けられたヒートシンクなどの放熱部材を備える。また、本発明の内視鏡装置では、プロセッサなどの内視鏡装置の筐体に形成された開口部を開閉するための開閉扉が設けられ、前記開閉扉に放電部が材取り付けられている。そして、前記開閉扉が開くと放電部材がその開く動作に連動して前記放熱部材と接触するように、放熱部材が配置され、放電部材が取り付けられている。例えば、筐体側面に開閉扉を設ければよい。
【０００６】
開閉扉を開閉させる構成は任意であるが、より簡易な構成で実現するため、開閉扉を筐体外部へ向けて軸回転させればよい。前記放電部材は、前記開閉扉の軸回転に連動して回転すればよい。例えば、放電部材は、前記開閉扉の軸に対して前記開閉扉とは反対方向へ向けて延びる。また、筐体の下方へ開くように開閉扉を構成すればよい。この場合、開口部の上端部に設けられた保持部材と係止して閉じた状態が維持されるのがよい。係止状態が解除されると自動的に開閉扉が開くため、作業者は開閉扉を保持する必要がなくなる。
【０００７】
本発明の内視鏡用ランプ交換機構は、電極を有する放熱部材が取り付けられたランプを装着、取り外すために筐体に形成された開口部を開閉し、開閉扉と、前記開閉扉に取り付けられ、前記開閉扉の開く動作と連動することによって前記放熱部材と接触する放電部材とを備えたことを特徴とする。
【発明の効果】
【０００８】
本発明によれば、簡易な構成によって、ランプ交換、点検作業中における作業者の感電を確実に防ぐことができる。
【発明を実施するための最良の形態】
【０００９】
以下では、図面を参照して本発明の実施形態について説明する。
【００１０】
図１、図２は、本実施形態である内視鏡装置の概略的斜視図である。
【００１１】
内視鏡装置のプロセッサ１０には、体内に挿入されるビデオスコープ（図示せず）がコネクタ１２を介して着脱自在に接続される。また、プロセッサ１０には、モニタ（図示せず）が接続される。
【００１２】
プロセッサ１０の側面１０Ｓには、ランプ交換用の開閉扉２０が設けられており、側面１０Ｓに形成された開口部１０Ａを開閉する。開閉扉２０は、開口部１０Ａの下方の縁に沿った軸を中心として軸回転可能であり、オペレータが開閉扉２０に取り付けた係止部材２０Ｓを引っ張ると、開閉扉２０がプロセッサ１０の下方へ向けて開く。側面１０Ｓの開放扉２０の上縁には、係止部材２０Ｓを保持するための保持部材１４が形成されている。
【００１３】
図３は、プロセッサ１０の側面１０Ｓから見たプロセッサの斜視図である。図４は、プロセッサ１０のランプ装着機構を概略的に示した図である。
【００１４】
プロセッサ１０の内部には、キセノンランプなどのランプ３０が設けられており、キセノンランプ３０の周囲には、２つのヒートシンク３２Ａ、３２Ｂが並んで同軸的に取り付けられている。ランプ３０は、アーク放電によって照明光を放射する。導体であって熱伝導性の優れたヒートシンク３２Ａ、３２Ｂは、ランプ３２によって生じる熱を放射する。また、ヒートシンク３２Ａ、３２Ｂは、電極３４を有する。
【００１５】
プロセッサ１０内部には、ヒートシンク３２Ａ、３２Ｂと対向するように電極３８を有するホルダ３６が固定されており、ヒートシンク３２Ａ、３２Ｂの底部は、ほぼ開閉扉２０の下縁の位置に合わせられている。ヒートシンク３２Ａ、３２Ｂが挿入されると、ヒートシンク３２Ａ、３２Ｂの電極３４とホルダ３６の電極が接触する。ランププロセッサ１０の側面１０Ｓに形成された開口部１０Ａのサイズは、廻りに取り付けられたヒートシンク３２Ａ、３２Ｂが挿入、取り出し可能なように定められている。
【００１６】
絶縁体から成る開閉扉２０は、側面１０Ｓの開口部の下縁に沿って取り付けられた軸２０Ｐの廻りに軸回転し、蝶番などの構成によって約９０度の間で開閉する。保持部材１４には、係止部材２０Ｓと係合するための孔が形成されており、係止部材２０Ｓが引っかかるように形成されている。
【００１７】
開閉扉２０の軸２０Ｐ付近には、開閉扉２０とは逆方向へ延びる放電部材２２が取り付けられており、開閉扉２０が完全に開いたときにヒートシンク３２Ａ、３２Ｂと接触するような所定の長さを有する。導体である放電部材２０は、接地されている。
【００１８】
図４の破線で示すように、開閉扉２０がロックされて開口部１０Ａを閉じている状態では、放電部材２２はヒートシンク３２Ａ、３２Ｂと接触しない。開閉扉２０の係止部材２０Ｓが引っ張られると、係止部材２０Ｓが保持部材１４の孔から取り外され、開閉扉２０のロック状態が解除される。開閉扉２０の上端部には、開閉検知用のピン（図示せず）が設けられており、開閉扉２が開くと、ランプ３０が消灯する。そのため、ヒートシンク３２Ａ、３２Ｂに電荷が帯電する。
【００１９】
開閉扉２０は自重によって下方へ軸回転し、ほぼ水平状態になるまで移動する。開閉扉２０が開く動きに伴い、放電部材２２が軸回転する。そして、図４の実線で示すように、開閉扉２０がほぼ水平状態にまで回転すると、放電部材２２はヒートシンク３２Ａ、３２Ｂと接触する。導体である放電部材２２はアースされているため、ヒートシンク３２Ａ、３２Ｂに帯電した電荷は放電部材２２に流れていく。  
【００２０】
以上のように本実施形態によれば、プロセッサ１０の側面１０Ｓに形成された開口部１０Ａを開閉する開閉扉２０が取り付けられており、開閉扉２０には、接地されている放電部材２２が取り付けられている。開閉扉２０を開けると、開閉扉２０の軸回転に連動して放電部材２２が軸回転し、ヒートシンク３２Ａ、３２Ｂと接触する。これにより、ヒートシンク３２Ａ、３２Ｂに帯電した電荷が放電される。
【００２１】
開閉扉の軸廻りにばねを設け、開閉扉２０を開けた時に弾性力によって放電部材をヒートシンクへ付勢させるように構成してもよい。あるいは、放電部材を開閉扉に対して角度をつけて固定し、開閉扉を開けた直後に接触するような角度に設定してもよい。
【図面の簡単な説明】
【００２２】
【図１】本実施形態である内視鏡装置の概略的斜視図である。
【図２】本実施形態である内視鏡装置の概略的斜視図である。
【図３】プロセッサの側面から見たプロセッサの斜視図である。
【図４】プロセッサのランプ装着機構を概略的に示した図である。
【符号の説明】
【００２３】
１０  プロセッサ
１０Ａ  開口部
１０Ｓ  側面
１４  保持部材
２０  開閉扉
２０Ｓ  係止部材
２２  放電部材
３０  ランプ
３２Ａ  ヒートシンク（放熱部材）
３２Ｂ  ヒートシンク（放熱部材）
３４  電極
【図１】
2008167903.tif 000003
【図２】
2008167903.tif 000004
【図３】
2008167903.tif 000005
【図４】
2008167903.tif 000006